(57)【要約】      （修正有）【課題】年月日時刻情報を数値制御装置の外部から受け取ることができる数値制御システムを提供すること。【解決手段】数値制御装置１Ａは、数値制御装置１Ａの電源投入時に電力線通信モデム２Ａに時刻情報送信要求信号Ｔｄを送る時刻情報送信要求部１０と、電力線通信モデム２Ａからの時刻情報Ｔｉを受け取る時刻情報設定部１１と、時刻情報設定部１１により時刻情報Ｔｉを設定され時間の経過に従い該設定された時刻情報Ｔｉを自動的に更新するリアルタイムクロック１２を有し、電力線通信モデム２Ａは、時刻情報送信要求信号Ｔｄを電源線４Ａに重畳する時刻情報送信要求信号重畳部２０と、電源線４Ａに重畳した時刻情報出力装置３からの時刻情報Ｔｉを分離する時刻情報分離部２１を有し、時刻情報出力装置３は、時刻情報送信要求信号Ｔｄを電力線通信モデム２Ａから電源線４Ａを介して受け取ると、年月日の情報を含む時刻情報Ｔｉを電源線４Ａに重畳する。【選択図】図１
2009230679.tif 000002
【特許請求の範囲】
【請求項１】
機械を制御する数値制御装置と、時刻情報出力装置と、数値制御装置と時刻情報出力装置との間で電源線を介して通信を行うための電力線通信モデムと、を備えた数値制御システムであって、
前記数値制御装置は、数値制御装置の電源投入時に電力線通信モデムに時刻情報送信要求信号を送る時刻情報送信要求部と、該電力線通信モデムからの時刻情報を受け取る時刻情報設定部と、該時刻情報設定部により時刻情報を設定され時間の経過に従い該設定された時刻情報を自動的に更新するリアルタイムクロックとを有し、
前記電力線通信モデムは、前記時刻情報送信要求信号を前記電源線に重畳する時刻情報送信要求信号重畳部と、前記電源線に重畳した時刻情報出力装置からの時刻情報を分離する時刻情報分離部とを有し、
前記時刻情報出力装置は、前記時刻情報送信要求信号を前記電力線通信モデムから前記電源線を介して受け取ると、年月日の情報を含む時刻情報を電源線に重畳する時刻情報重畳部を有することを特徴とする時刻情報を入手する機械を制御する数値制御システム。
【請求項２】
機械を制御する数値制御装置と、時刻情報出力装置と、数値制御装置と時刻情報出力装置との間で電源線を介して通信を行うための電力線通信モデムと、を備えた数値制御システムであって、
前記数値制御装置は、数値制御装置の電源投入時に電力線通信モデムに時刻情報送信要求信号を送る時刻情報送信要求部と、該電力線通信モデムからの時刻情報を受け取る時刻情報設定部と、該時刻情報設定部により時刻情報を設定される時刻情報保持部と、数値制御装置の制御用クロック信号に基づき時刻情報保持部に設定された時刻情報を定期的に更新する時刻情報更新部とを有し、
前記電力線通信モデムは、前記時刻情報送信要求信号を前記電源線に重畳する時刻情報送信要求信号重畳部と、前記電源線に重畳した時刻情報出力装置からの時刻情報を分離する時刻情報分離部とを有し、
前記時刻情報出力装置は、前記時刻情報送信要求信号を前記電力線通信モデムから前記電源線を介して受け取ると、年月日の情報を含む時刻情報を電源線に重畳する時刻情報重畳部を有することを特徴とする時刻情報を入手する機械を制御する数値制御システム。
【請求項３】
機械を制御する数値制御装置と、時刻情報出力装置と、数値制御装置と時刻情報出力装置との間で電源線を介して通信を行うための電力線通信モデムと、を備えた数値制御システムであって、
前記時刻情報出力装置は、１秒あるいは１秒より短い周期で定期的に年月日を含む時刻情報を電源線に重畳する時刻情報重畳部を有し、
前記電力線通信モデムは、前記電源線に重畳した時刻情報出力装置からの時刻情報を分離する時刻情報分離部を有し、
前記数値制御装置は、前記電力線通信モデムから時刻情報が送られるごとに数値制御装置の時刻情報保持部に時刻情報を設定する時刻情報設定部を有することを特徴とする時刻情報を入手する機械を制御する数値制御システム。
【請求項４】
前記電力線通信モデムを前記数値制御装置に内蔵した請求項１〜３のいずれか一つに記載の時刻情報を入手する機械を制御する数値制御システム。
【請求項５】
時刻情報配信サービスから送信される年月日を含んだ時刻情報を受信する時刻情報受信部と、リアルタイムクロックと、時刻情報受信部で受信した時刻情報をリアルタイムクロックに設定する時刻情報設定部とを備えた機械を制御する数値制御装置であって、該リアルタイムクロックは、該時刻情報設定部により設定された時刻情報を時間の経過に従い自動的に更新することを特徴とする時刻情報を入手する機械を制御する数値制御装置。
【請求項６】
時刻情報配信サービスから送信される年月日を含んだ時刻情報を受信する時刻情報受信部と、数値制御装置を制御するクロックと、時刻情報保持部と、時刻情報受信部で受信した時刻情報を前記時刻情報保持部に設定する時刻情報設定部と、前記クロックのクロック信号に基づき前記時刻情報保持部に保持された時刻情報を定期的に更新する時刻情報更新部とを備えたことを特徴とする時刻情報を入手する機械を制御する数値制御装置。
【請求項７】
時刻情報配信サービスから１秒あるいは１秒より短い周期で定期的に送信される年月日を含んだ時刻情報を受信する時刻情報受信部と、時刻情報保持部と、
前記時刻情報受信部で受信した時刻情報を受信するごとに前記時刻情報保持部に設定する時刻情報設定部と、を備えたことを特徴とする時刻情報を入手する機械を制御する数値制御装置。
【請求項８】
機械を制御する数値制御装置と、時刻情報出力装置と、数値制御装置と時刻情報出力装置との間で数値制御装置の通信線を介して通信を行う数値制御システムであって、
前記数値制御装置は、数値制御装置の電源投入時に時刻情報出力装置に時刻情報送信要求信号を送る時刻情報送信要求部と、該時刻情報出力装置からの時刻情報を受け取る時刻情報設定部と、該時刻情報設定部により時刻情報を設定され時間の経過に従い該設定された時刻情報を自動的に更新するリアルタイムクロックと、を備えたことを特徴とする時刻情報を入手する機械を制御する数値制御システム。
【請求項９】
機械を制御する数値制御装置と、時刻情報出力装置と、数値制御装置と時刻情報出力装置との間で数値制御装置の通信線を介して通信を行う数値制御システムであって、
前記数値制御装置は、数値制御装置の電源投入時に時刻情報出力装置に時刻情報送信要求信号を送る時刻情報送信要求部と、該時刻情報出力装置からの時刻情報を受け取る時刻情報設定部と、該時刻情報設定部により時刻情報を設定される時刻情報保持部と、数値制御装置の制御用クロック信号に基づき時刻情報保持部に設定された時刻情報を定期的に更新する時刻情報更新部と、を備えたことを特徴とする時刻情報を入手する機械を制御する数値制御システム。
【請求項１０】
機械を制御する数値制御装置と、時刻情報出力装置と、数値制御装置と時刻情報出力装置との間で数値制御装置の通信線を介して通信を行う数値制御システムであって、
前記数値制御装置は、時刻情報保持部と、時刻情報出力装置から出力される１秒あるいは１秒より短い周期で定期的に年月日を含む時刻情報を該時刻情報保持部に設定する時刻情報設定部と、を備えたことを特徴とする時刻情報を入手する機械を制御する数値制御システム。
【発明の詳細な説明】
【技術分野】
【０００１】
本発明は工作機械や産業機械を制御する数値制御装置に関し、特に、時刻情報を数値制御装置の外部から入手する機械を制御する数値制御システムに関する。
【背景技術】
【０００２】
数値制御装置は、旋盤、マシニングセンタ、射出成形機など種々の工作機械や産業機械（以下、「機械」という）を長時間連続運転することができる。機械を制御する数値制御装置は、数値制御装置に内蔵されたリアルタイムクロックが年月日を含む時刻情報を計算している。機械を制御する数値制御装置は、起動時にリアルタイムクロックから年月日を含む時刻情報を取得する。このリアルタイムクロックは定期的に時刻を合わせる必要がある。数値制御装置の電源オフ時には時刻の計算を継続するために、リアルタイムクロック用の電池で電源バックアップがなされており、この電池を定期的に交換する作業が必要である。
【０００３】
特許文献１には、電源投入時に、ネットワークに接続された他の同種類の電子機器にアクセスし、アクセスした同種類の電子機器の日付と時刻情報とをネットワークを介して得て、自己のリアルタイムクロックの日付と時刻を設定し、リアルタイムクロックをバックアップする電池を使用しないプリンタ装置の技術が開示されている。
【０００４】
特許文献２には、マスター局とスレーブ局との間を接続するＡＣ電力線路を時刻情報の伝送線路として使用し、マスター局とスレーブ局とで同期した時刻表示を行う時刻表示装置の技術が開示されている。
【０００５】
【特許文献１】特開２０００−１６３２４２号公報
【特許文献２】特開昭６３−３１５９８０号公報
【発明の開示】
【発明が解決しようとする課題】
【０００６】
背景技術で説明したようにリアルタイムクロックは定期的に時刻を合わせる必要があるが、誤った時刻を設定してしまうことや、リアルタイムクロックのバックアップ用電池の交換作業を行う煩雑さもある。
【０００７】
数値制御装置が制御する機械が設置される工場ではＬＡＮ工事が困難な場合もある。また、工場内での機械のレイアウト変更も行われる。レイアウト変更のたびに、電源工事に加えてＬＡＮ工事を行うとコストアップにつながる。
【０００８】
小工場では、数値制御装置は１台であったり、いろいろな会社の数値制御装置が使われたりしていることから、必ずしも数値制御装置と同種種類の数値制御装置が存在しているとは限らない。そのため、特許文献１に開示される技術のように、ネットワークを介して他の同種類の電子機器からの時刻情報を得ることができない。
【０００９】
そこで本発明の目的は、年月日を含む時刻情報を数値制御装置の外部から受け取ることができる数値制御システムおよび数値制御装置を提供することである。
【課題を解決するための手段】
【００１０】
本願の請求項１に係る発明は、機械を制御する数値制御装置と、時刻情報出力装置と、数値制御装置と時刻情報出力装置との間で電源線を介して通信を行うための電力線通信モデムと、を備えた数値制御システムであって、前記数値制御装置は、数値制御装置の電源投入時に電力線通信モデムに時刻情報送信要求信号を送る時刻情報送信要求部と、該電力線通信モデムからの時刻情報を受け取る時刻情報設定部と、該時刻情報設定部により時刻情報を設定され時間の経過に従い該設定された時刻情報を自動的に更新するリアルタイムクロックとを有し、前記電力線通信モデムは、前記時刻情報送信要求信号を前記電源線に重畳する時刻情報送信要求信号重畳部と、前記電源線に重畳した時刻情報出力装置からの時刻情報を分離する時刻情報分離部とを有し、前記時刻情報出力装置は、前記時刻情報送信要求信号を前記電力線通信モデムから前記電源線を介して受け取ると、年月日の情報を含む時刻情報を電源線に重畳する時刻情報重畳部を有することを特徴とする時刻情報を入手する機械を制御する数値制御システムである。
【００１１】
請求項２に係る発明は、機械を制御する数値制御装置と、時刻情報出力装置と、数値制御装置と時刻情報出力装置との間で電源線を介して通信を行うための電力線通信モデムと、を備えた数値制御システムであって、前記数値制御装置は、数値制御装置の電源投入時に電力線通信モデムに時刻情報送信要求信号を送る時刻情報送信要求部と、該電力線通信モデムからの時刻情報を受け取る時刻情報設定部と、該時刻情報設定部により時刻情報を設定される時刻情報保持部と、数値制御装置の制御用クロック信号に基づき時刻情報保持部に設定された時刻情報を定期的に更新する時刻情報更新部とを有し、前記電力線通信モデムは、前記時刻情報送信要求信号を前記電源線に重畳する時刻情報送信要求信号重畳部と、前記電源線に重畳した時刻情報出力装置からの時刻情報を分離する時刻情報分離部とを有し、前記時刻情報出力装置は、前記時刻情報送信要求信号を前記電力線通信モデムから前記電源線を介して受け取ると、年月日の情報を含む時刻情報を電源線に重畳する時刻情報重畳部を有することを特徴とする時刻情報を入手する機械を制御する数値制御システムである。
【００１２】
請求項３に係る発明は、機械を制御する数値制御装置と、時刻情報出力装置と、数値制御装置と時刻情報出力装置との間で電源線を介して通信を行うための電力線通信モデムと、を備えた数値制御システムであって、前記時刻情報出力装置は、１秒あるいは１秒より短い周期で定期的に年月日を含む時刻情報を電源線に重畳する時刻情報重畳部を有し、前記電力線通信モデムは、前記電源線に重畳した時刻情報出力装置からの時刻情報を分離する時刻情報分離部を有し、前記数値制御装置は、前記電力線通信モデムから時刻情報が送られるごとに数値制御装置の時刻情報保持部に時刻情報を設定する時刻情報設定部を有することを特徴とする時刻情報を入手する機械を制御する数値制御システムである。
【００１３】
請求項４に係る発明は、前記電力線通信モデムを前記数値制御装置に内蔵した請求項１〜３のいずれか一つに記載の時刻情報を入手する機械を制御する数値制御システムである。
【００１４】
請求項５に係る発明は、時刻情報配信サービスから送信される年月日を含んだ時刻情報を受信する時刻情報受信部と、リアルタイムクロックと、時刻情報受信部で受信した時刻情報をリアルタイムクロックに設定する時刻情報設定部とを備えた機械を制御する数値制御装置であって、該リアルタイムクロックは、該時刻情報設定部により設定された時刻情報を時間の経過に従い自動的に更新することを特徴とする時刻情報を入手する機械を制御する数値制御装置である。
【００１５】
請求項６に係る発明は、時刻情報配信サービスから送信される年月日を含んだ時刻情報を受信する時刻情報受信部と、数値制御装置を制御するクロックと、時刻情報保持部と、時刻情報受信部で受信した時刻情報を前記時刻情報保持部に設定する時刻情報設定部と、前記クロックのクロック信号に基づき前記時刻情報保持部に保持された時刻情報を定期的に更新する時刻情報更新部とを備えたことを特徴とする時刻情報を入手する機械を制御する数値制御装置である。
【００１６】
請求項７に係る発明は、時刻情報配信サービスから１秒あるいは１秒より短い周期で定期的に送信される年月日を含んだ時刻情報を受信する時刻情報受信部と、時刻情報保持部と、前記時刻情報受信部で受信した時刻情報を受信するごとに前記時刻情報保持部に設定する時刻情報設定部と、を備えたことを特徴とする時刻情報を入手する機械を制御する数値制御装置である。
【００１７】
請求項８に係る発明は、機械を制御する数値制御装置と、時刻情報出力装置と、数値制御装置と時刻情報出力装置との間で数値制御装置の通信線を介して通信を行う数値制御システムであって、前記数値制御装置は、数値制御装置の電源投入時に時刻情報出力装置に時刻情報送信要求信号を送る時刻情報送信要求部と、該時刻情報出力装置からの時刻情報を受け取る時刻情報設定部と、該時刻情報設定部により時刻情報を設定され時間の経過に従い該設定された時刻情報を自動的に更新するリアルタイムクロックと、を備えたことを特徴とする時刻情報を入手する機械を制御する数値制御システムである。
【００１８】
請求項９に係る発明は、機械を制御する数値制御装置と、時刻情報出力装置と、数値制御装置と時刻情報出力装置との間で数値制御装置の通信線を介して通信を行う数値制御システムであって、前記数値制御装置は、数値制御装置の電源投入時に時刻情報出力装置に時刻情報送信要求信号を送る時刻情報送信要求部と、該時刻情報出力装置からの時刻情報を受け取る時刻情報設定部と、該時刻情報設定部により時刻情報を設定される時刻情報保持部と、数値制御装置の制御用クロック信号に基づき時刻情報保持部に設定された時刻情報を定期的に更新する時刻情報更新部と、を備えたことを特徴とする時刻情報を入手する機械を制御する数値制御システムである。
【００１９】
請求項１０に係る発明は、機械を制御する数値制御装置と、時刻情報出力装置と、数値制御装置と時刻情報出力装置との間で数値制御装置の通信線を介して通信を行う数値制御システムであって、前記数値制御装置は、時刻情報保持部と、時刻情報出力装置から出力される１秒あるいは１秒より短い周期で定期的に年月日を含む時刻情報を該時刻情報保持部に設定する時刻情報設定部と、を備えたことを特徴とする時刻情報を入手する機械を制御する数値制御システムである。
【発明の効果】
【００２０】
本発明により、年月日を含む時刻情報を数値制御装置の外部から受け取ることができる数値制御システムおよび数値制御装置を提供することができる。
【発明を実施するための最良の形態】
【００２１】
以下、本発明の実施形態を図面と共に説明する。各図面において、共通の機能または類似する機能を有するものは同一の符号あるいは類似の符号を付与している。また、「機械を制御する数値制御装置」はこれ以降単に「数値制御装置」という。
【００２２】
図１は、本発明の第１の実施形態である電源線４Ａを介して通信する数値制御システムを示す図である。本システムは、数値制御装置１Ａ、電力線通信モデム２Ａ、電源線４Ａ、及び時刻情報出力装置３から構成される。  
数値制御装置１Ａは、数値制御装置１Ａの電源投入時に電力線通信モデム２Ａに時刻情報送信要求信号Ｔｄを送る時刻情報送信要求部１０と、電力線通信モデム２Ａからの時刻情報Ｔｉを受け取る時刻情報設定部１１と、時刻情報設定部１１により時刻情報Ｔｉを設定され時間の経過に従い該設定された時刻情報Ｔｉを自動的に更新するリアルタイムクロック１２とを備えている。
【００２３】
電力線通信モデム２Ａは、数値制御装置１Ａからの時刻情報送信要求信号Ｔｄを電源線４Ａに重畳する時刻情報送信要求信号重畳部２０と、電源線４Ａに重畳した時刻情報出力装置３からの時刻情報Ｔｉを分離する時刻情報分離部２１とを備えている。なお、電力線通信モデムはＰＬＣモデムと称する。ＰＬＣは、Ｐｏｗｅｒ  ｌｉｎｅ  ｃｏｍｍｕｎｉｃａｔｉｏｎのことで電力線通信を意味する。ＰＬＣモデムは、例えば、イーサネット（登録商標）のインタフェースをもつ数値制御装置１Ａと電源線４Ａとの間で、イーサネット（登録商標）信号とＰＬＣ信号とを相互に変換する装置であり、ＰＬＣモデムにより、５０Ｈｚまたは６０Ｈｚの電力供給用の波形に、２Ｍ〜３０ＭＨｚのＰＬＣ信号が重畳して電源線４Ａを通して信号の伝送を行うことができる。
【００２４】
時刻情報出力装置３は、時刻情報送信要求信号Ｔｄを電力線通信モデム２Ａから電源線４Ａを介して受け取ると、年月日の情報を含む時刻情報Ｔｉを電源線４Ａに重畳する時刻情報重畳部３０を備えている。  
電源線４Ａは、本発明の数値制御システムを構成する電力線通信モデム２Ａ、及び、時刻情報出力装置３に電力を供給する共通の電力線である。
【００２５】
図２は、本発明の第２の実施形態である電源線４Ａを介して通信する数値制御システムを示す図である。本システムは、数値制御装置１Ｂ、電力線通信モデム２Ａ、電源線４Ａ、及び時刻情報出力装置３から構成される。
【００２６】
数値制御装置１Ｂは、数値制御装置１Ｂの電源投入時に電力線通信モデム２Ａに時刻情報送信要求信号Ｔｄを送る時刻情報送信要求部１０と、電力線通信モデム２Ａからの時刻情報Ｔｉを受け取る時刻情報設定部１１と、時刻情報設定部１１により時刻情報Ｔｉを設定される時刻情報保持部１３と、数値制御装置１Ｂに実装されるクロック１５のクロック信号に基づき時刻情報保持部１３に設定された時刻情報Ｔｉを定期的に更新する時刻情報更新部１４とを備えている。
【００２７】
電力線通信モデム２Ａは、時刻情報送信要求信号Ｔｄを電源線４Ａに重畳する時刻情報送信要求信号重畳部２０と、電源線４Ａに重畳した時刻情報出力装置３からの時刻情報Ｔｉを分離する時刻情報分離部２１とを備える。  
時刻情報出力装置３は、時刻情報送信要求信号Ｔｄを電力線通信モデム２Ａから電源線４Ａを介して受け取ると、年月日の情報を含む時刻情報Ｔｉを電源線４Ａに重畳する時刻情報重畳部３０を備えている。  
電源線４Ａは、本発明の数値制御システムを構成する、電力線通信モデム２Ａ、及び、時刻情報出力装置３に電力を供給する共通の電力線である。
【００２８】
図３は、本発明の第３の実施形態である電源線４Ａを介して通信する数値制御システムを示す図である。本システムは、数値制御装置１Ｃ、電力線通信モデム２Ｂ、電源線４Ａ、及び時刻情報出力装置３から構成される。数値制御装置１Ｃは、電力線通信モデム２Ｂから時刻情報Ｔｉが送られるごとに数値制御装置１Ｃの時刻情報保持部１３に時刻情報Ｔｉを設定する時刻情報設定部１１を備える。電力線通信モデム２Ｂは、電源線４Ａに重畳した時刻情報出力装置３からの時刻情報Ｔｉを分離する時刻情報分離部２１を備えている。時刻情報出力装置３は、１秒あるいは１秒より短い周期で定期的に年月日を含む時刻情報Ｔｉを電源線４Ａに重畳する時刻情報重畳部３０を備えている。
【００２９】
図４は、本発明の第４の実施形態である電源線４Ａを介して通信する数値制御システムを示す図である。本システムは、電力線通信モデム２Ａ’を内蔵する数値制御装置１Ｄ、電源線４Ａ、及び時刻情報出力装置３から構成される。このシステムは図１に示されるシステムにおいて、電力線通信モデム２Ａを数値制御装置１Ａに組み込んだシステムである。数値制御装置１Ｄが有するそれぞれの機能ブロックについては、本発明の第１の実施形態に関する説明を参照して理解できる。
【００３０】
図５は、本発明の第５の実施形態である電源線４Ａを介して通信する数値制御システムを示す図である。本システムは、電力線通信モデム２Ａ’を内蔵する数値制御装置１Ｅ、電源線４Ａ、及び時刻情報出力装置３から構成される。このシステムは図２に示されるシステムにおいて、電力線通信モデム２Ａを数値制御装置１Ｂに組み込んだシステムである。数値制御装置１Ｅが有するそれぞれの機能ブロックについては、本発明の第２の実施形態に関する説明を参照して理解できる。
【００３１】
図６は、本発明の第６の実施形態である電源線４Ａを介して通信する数値制御システムを示す図である。本システムは、電力線通信モデム２Ｂ’を内蔵する数値制御装置１Ｆ、電源線４Ａ、及び時刻情報出力装置３から構成される。このシステムは図３に示されるシステムにおいて、電力線通信モデム２Ｂを数値制御装置に組み込んだシステムである。数値制御装置１Ｆが有するそれぞれの機能ブロックについては、本発明の第３の実施形態に関する説明を参照して理解できる。
【００３２】
図７は、本発明の第７の実施形態である時刻情報配信サービス５を利用する数値制御装置１Ｇを示す図である。数値制御装置１Ｇは、時刻情報配信サービス５から送信される年月日を含んだ時刻情報Ｔｉを受信する時刻情報受信部１６と、リアルタイムクロック１２と、時刻情報受信部１６で受信した時刻情報Ｔｉをリアルタイムクロック１２に設定する時刻情報設定部１１とを備えている。リアルタイムクロック１２は、時刻情報設定部１１により設定された時刻情報Ｔｉを時間の経過に従い自動的に更新する。
【００３３】
図８は、本発明の第８の実施形態である時刻情報配信サービス５を利用する数値制御装置１Ｈを示す図である。数値制御装置１Ｈは、時刻情報配信サービス５から送信される年月日を含んだ時刻情報Ｔｉを受信する時刻情報受信部１６と、数値制御装置１Ｈを制御するクロック１５と、時刻情報保持部１３と、時刻情報受信部１６で受信した時刻情報Ｔｉを時刻情報保持部１３に設定する時刻情報設定部１１と、クロック１５のクロック信号に基づき時刻情報保持部１３に保持された時刻情報Ｔｉを定期的に更新する時刻情報更新部１４とを備えている。
【００３４】
図９は、本発明の第９の実施形態である時刻情報配信サービス５を利用する数値制御装置１Ｉを示す図である。数値制御装置１Ｉは、時刻情報配信サービス５から１秒あるいは１秒より短い周期で定期的に送信される年月日を含んだ時刻情報Ｔｉを受信する時刻情報受信部１６と、時刻情報保持部１３と、時刻情報受信部１６で受信した時刻情報Ｔｉを受信するごとに時刻情報保持部１３に設定する時刻情報設定部１１とを備えている。
【００３５】
図１０は、本発明の第１０の実施形態である通信線４Ｂを介して通信する数値制御システムを示す図である。本システムは、数値制御装置１Ａと、時刻情報出力装置３’と、数値制御装置１Ａと時刻情報出力装置３’との間で通信線４Ｂを介して通信を行う数値制御システムである。通信線４Ｂとしてはイーサネット（登録商標）などを使用できる。
【００３６】
数値制御装置１Ａは、数値制御装置１Ａの電源投入時に時刻情報出力装置３’に時刻情報送信要求信号Ｔｄを送る時刻情報送信要求部１０と、時刻情報出力装置３’からの時刻情報Ｔｉを受け取る時刻情報設定部１１と、時刻情報設定部１１は時刻情報Ｔｉを設定され時間の経過に従い該設定された時刻情報Ｔｉを自動的に更新するリアルタイムクロック１２とを備えている。時刻情報出力装置３’は、時刻情報送信要求信号Ｔｄを通信線４Ｂを介して受け取ると、年月日の情報を含む時刻情報Ｔｉを、通信線４Ｂを介して数値制御装置１Ａに送信する。
【００３７】
図１１は、本発明の第１１の実施形態である通信線４Ｂを介して通信する数値制御システムを示す図である。本システムは、数値制御装置１Ｂと、時刻情報出力装置３’と、数値制御装置１Ｂと時刻情報出力装置３’との間で通信線４Ｂを介して通信を行う数値制御システムである。通信線４Ｂとしてはイーサネット（登録商標）などを用いることができる。
【００３８】
数値制御装置１Ｂは、数値制御装置１Ｂの電源投入時に時刻情報出力装置３’に時刻情報送信要求信号Ｔｄを送る時刻情報送信要求部１０と、時刻情報出力装置３’からの時刻情報Ｔｉを受け取る時刻情報設定部１１と、時刻情報設定部１１により時刻情報Ｔｉを設定される時刻情報保持部１３と、数値制御装置１Ｂに実装されたクロック１５の制御用クロック信号に基づき時刻情報保持部１３に設定された時刻情報Ｔｉを定期的に更新する時刻情報更新部１４とを備えている。時刻情報出力装置３’は、時刻情報送信要求信号Ｔｄを通信線４Ｂを介して受け取ると、年月日の情報を含む時刻情報Ｔｉを、通信線を介して数値制御装置１Ｂに送信する。
【００３９】
図１２は、本発明の第１２の実施形態である通信線４Ｂを介して通信する数値制御システムを示す図である。数値制御装置１Ｃと、時刻情報出力装置３’と、数値制御装置１Ｃと時刻情報出力装置３’との間で数値制御装置１Ｃの通信線４Ｂを介して通信を行う数値制御システムである。数値制御装置１Ｃは、時刻情報保持部１３と、時刻情報出力装置３’から出力される１秒あるいは１秒より短い周期で定期的に年月日を含む時刻情報Ｔｉを時刻情報保持部１３に設定する時刻情報設定部１１とを備えている。時刻情報出力装置３’は、時刻情報送信要求信号Ｔｄを通信線４Ｂを介して受け取ると、年月日の情報を含む時刻情報Ｔｉを、通信線４Ｂを介して数値制御装置１Ｃに送信する。
【図面の簡単な説明】
【００４０】
【図１】本発明の第１の実施形態である電源線を介して通信する数値制御システムを示す図である。
【図２】本発明の第２の実施形態である電源線を介して通信する数値制御システムを示す図である。
【図３】本発明の第３の実施形態である電源線を介して通信する数値制御システムを示す図である。
【図４】本発明の第４の実施形態である電源線を介して通信する数値制御システムを示す図である。
【図５】本発明の第５の実施形態である電源線を介して通信する数値制御システムを示す図である。
【図６】本発明の第６の実施形態である電源線を介して通信する数値制御システムを示す図である。
【図７】本発明の第７の実施形態である時刻情報配信サービスを利用する数値制御装置を示す図である。
【図８】本発明の第８の実施形態である時刻情報配信サービスを利用する数値制御装置を示す図である。
【図９】本発明の第９の実施形態である時刻情報配信サービスを利用する数値制御装置を示す図である。
【図１０】本発明の第１０の実施形態である通信線を介して通信する数値制御システムを示す図である。
【図１１】本発明の第１１の実施形態である通信線を介して通信する数値制御システムを示す図である。
【図１２】本発明の第１２の実施形態である通信線を介して通信する数値制御システムを示す図である。
【符号の説明】
【００４１】
１Ａ，１Ｂ，１Ｃ，１Ｄ，１Ｅ，１Ｆ，１Ｇ，１Ｈ，１Ｉ  数値制御装置
１０  時刻情報送信要求部
１１  時刻情報設定部
１２  リアルタイムクロック
１３  時刻情報保持部
１４  時刻情報更新部
１５  クロック
１６  時刻情報受信部
２Ａ，２Ａ’，２Ｂ，２Ｂ’  電力線通信モデム
２０  時刻情報送信要求信号重畳部
２１  時刻情報分離部
３，３’  時刻情報出力装置
３０  時刻情報重畳部
４Ａ  電源線（電力線）
４Ｂ  通信線
５  時刻情報配信サービス（標準電波）
Ｔｉ  時刻情報
Ｔｄ  時刻情報送信要求信号
【図１】
2009230679.tif 000003
【図２】
2009230679.tif 000004
【図３】
2009230679.tif 000005
【図４】
2009230679.tif 000006
【図５】
2009230679.tif 000007
【図６】
2009230679.tif 000008
【図７】
2009230679.tif 000009
【図８】
2009230679.tif 000010
【図９】
2009230679.tif 000011
【図１０】
2009230679.tif 000012
【図１１】
2009230679.tif 000013
【図１２】
2009230679.tif 000014